(57)【要約】【課題】位置情報に対応するエリアに関連する複数のコンテンツからユーザが所望するコンテンツを所望のタイミングで配信する。【解決手段】サーバ装置は、所定の位置情報と、位置情報を含むエリアを示す１または２以上のエリア情報と、エリア情報に関連するコンテンツとを関連付けてエリア情報テーブルに記憶する記憶部と、情報処理端末から送信される情報処理帯端末の位置情報を受信する受信部と、受信部により受信された位置情報に関連付けられた１または２以上のエリア情報を選択し、さらに、情報処理端末のユーザ操作に応じて１または２以上のエリア情報から少なくとも１のエリア情報が選択された場合に、エリア情報に関連付けられたコンテンツを選択する選択部と、エリア情報が選択された後所定時間内に情報処理端末からコンテンツの送信要求を受信した場合に、選択部により選択されたコンテンツを情報処理端末に送信する送信部と、を備える。【選択図】図３
2012088766.tif 000002
【特許請求の範囲】
【請求項１】
１または２以上の情報処理端末とネットワークを介して接続されたサーバ装置であって、
所定の位置情報と、前記位置情報を含むエリアを示す１または２以上のエリア情報と、前記エリア情報に関連するコンテンツとを関連付けてエリア情報テーブルに記憶する記憶部と、
前記情報処理端末から送信される前記情報処理帯端末の位置情報を受信する受信部と、
前記受信部により受信された前記位置情報に関連付けられた１または２以上の前記エリア情報を選択し、さらに、前記情報処理端末のユーザ操作に応じて１または２以上の前記エリア情報から少なくとも１の前記エリア情報が選択された場合に、前記エリア情報に関連付けられた前記コンテンツを選択する選択部と、
前記エリア情報が選択された後所定時間内に前記情報処理端末から前記コンテンツの送信要求を受信した場合に、前記選択部により選択された前記コンテンツを前記情報処理端末に送信する送信部と、
を備えることを特徴とする、サーバ装置。
【請求項２】
前記情報処理端末の表示部に表示させる表示画面を生成する生成部を備え、
前記生成部は、
前記選択部により選択された前記コンテンツと前記送信要求ボタンとを含む表示画面を生成することを特徴とする、請求項１に記載のサーバ装置。
【請求項３】
前記生成部は、前記選択部により選択された前記エリアにチェックインするためのチェックインボタンを含むチェックイン画面を生成し、
前記送信部は、前記情報処理端末のユーザ操作により前記チェックインボタンが選択された後所定時間内に前記情報処理端末から前記コンテンツの送信要求を受信した場合に、前記コンテンツを前記情報処理端末に送信することを特徴とする、請求項１に記載のサーバ装置。
【請求項４】
前記情報処理端末のユーザ操作により、前記エリアにチェックインするための前記チェックインボタンが選択されたか否かを判定する判定部を備え、
前記生成部は、
前記判定部により前記チェックインボタンが選択されたと判定された場合に、前記エリア情報に対応付けられたコンテンツの送信を要求するための送信要求ボタンを含む表示画面を生成し、
前記判定部は、
前記情報処理端末のユーザ操作により前記チェックインボタンが選択された後所定時間内に前記送信要求ボタンが選択されたかを判定することを特徴とする、請求項３に記載のサーバ装置。
【請求項５】
前記判定部により前記チェックインボタンが選択されたと判定された場合に、所定のポイントを示すポイント情報を付与する付与部を備え、
前記送信部は、前記付与部により付与された前記ポイント情報を前記情報処理端末に送信することを特徴とする、請求項３に記載のサーバ装置。
【請求項６】
前記記憶部は、前記情報処理端末のユーザを識別するユーザＩＤと前記ポイント情報とを関連付けてユーザ情報テーブルに記憶し、
前記付与部は、前記判定部により前記チェックインボタンが選択されたと判定された場合に、前記記憶部に記憶されている前記ポイント情報が示すポイントが所定のポイント以下の場合に前記ポイント情報を付与することを特徴とする、請求項５に記載のサーバ装置。
【請求項７】
前記記憶部は、前記エリア情報と、前記エリアに関連するスタンプまたはバッジに関する情報とを関連付けて前記エリア情報テーブルに記憶し、
前記判定部は、ユーザ操作に応じて前記チェックインボタンが選択された場合に、いずれの前記エリアにチェックインされたかを判定し、
前記付与部は、前記判定部によりチェックインされたと判定された前記エリアに関連付けられた前記スタンプまたは前記バッジに関する情報を付与し、
前記送信部は、前記スタンプまたは前記バッジに関する情報を前記情報処理端末に送信することを特徴とする、請求項５に記載のサーバ装置。
【請求項８】
前記記憶部は、前記ユーザＩＤと、前記付与部により付与された前記スタンプまたは前記バッジとを関連付けて前記ユーザ情報テーブルに記憶することを特徴とする、請求項６に記載のサーバ装置。
【請求項９】
前記判定部は、ユーザ操作に応じて前記チェックインボタンが選択されて、前記エリアにチェックインした回数を判定し、
前記付与部は、前記判定部により所定の前記エリアにチェックインした回数に応じて前記エリアに関連する前記スタンプを付与することを特徴とする、請求項７に記載のサーバ装置。
【請求項１０】
前記記憶部は、前記バッジに関する情報と前記バッジを獲得するための所定の条件に関する情報とを関連付けて記憶し、
前記付与部は、
前記判定部によりチェックインされたと判定され、前記バッジを獲得するための所定の条件を満たす場合に前記情報処理端末に前記バッジを付与することを特徴とする、請求項７に記載のサーバ装置。
【請求項１１】
前記選択部により選択されるコンテンツは、前記エリア情報に関連付けられた商品を購入するための購入フォームを含み、
前記生成部は、前記購入フォームと前記送信要求ボタンとを含む表示画面を生成することを特徴とする、請求項２に記載の情報処理装置。
【請求項１２】
前記記憶部は
前記ユーザＩＤと、前記商品の購入履歴、購入した前記商品に関する情報、とを関連付けて記憶することを特徴とする、請求項１１に記載のサーバ装置。
【請求項１３】
１または２以上の情報処理端末とサーバ装置とがネットワークを介して接続された情報処理システムであって、
前記情報処理端末は、
ユーザ操作に応じて位置情報を取得する取得部と、
前記サーバ装置により生成された表示画面を表示部に表示させる表示制御部と、
前記ユーザ操作に応じて前記サーバ装置にコンテンツの送信要求を送信する送信部と、
を備え、
前記サーバ装置は、
所定の位置情報と、前記位置情報を含むエリアを示す１または２以上のエリア情報と、前記エリア情報に関連するコンテンツとを関連付けてエリア情報テーブルに記憶する記憶部と、
前記情報処理端末から送信される前記情報処理帯端末の位置情報を受信する受信部と、
前記受信部により受信された前記位置情報に関連付けられた１または２以上の前記エリア情報を選択し、さらに、前記情報処理端末のユーザ操作に応じて１または２以上の前記エリア情報から少なくとも１の前記エリア情報が選択された場合に、前記エリア情報に関連付けられた前記コンテンツを選択する選択部と、
前記エリア情報が選択された後所定時間内に前記情報処理端末から前記コンテンツの送信要求を受信した場合に、前記選択部により選択された前記コンテンツを前記情報処理端末に送信する送信部と、
を備えることを特徴とする、情報処理システム。
【請求項１４】
サーバ装置とネットワークを介して接続された情報処理端末であって、
ユーザ操作に応じて位置情報を取得する取得部と、
前記位置情報に関連付けられた１または２以上のエリア情報を含むコンテンツを前記サーバ装置から受信する受信部と、
前記コンテンツを含む表示画面を表示部に表示させる表示制御部と、
前記エリア情報に関連付けられたコンテンツの送信要求を検出する検出部と、
前記検出部により検出されたコンテンツの送信要求を前記サーバ装置に送信する送信部と、
を備えることを特徴とする、情報処理端末。
【請求項１５】
１または２以上の情報処理端末とサーバ装置とがネットワークを介して接続された情報処理システムにおける情報処理方法であって、
前記情報処理端末から送信される前記情報処理端末の位置情報を受信するステップと、
前記位置情報に関連付けられた１または２以上のエリア情報を選択するステップと、
前記情報処理端末のユーザ操作に応じて、１または２以上の前記エリア情報少なくとも１のエリア情報を選択するステップと、
前記エリア情報に関連付けられたコンテンツを選択するステップと、
前記エリア情報が選択された後所定時間内に前記情報処理端末から前記コンテンツの送信要求を受信した場合に、前記選択されたコンテンツを前記情報処理端末に送信するステップと、
を備えることを特徴とする、情報処理方法。
【発明の詳細な説明】
【技術分野】
【０００１】
本発明は、サーバ装置、情報処理システム、情報処理端末および情報処理方法に関し、位置情報に関連するコンテンツを配信するサーバ装置、情報処理システム、情報処理端末および情報処理方法に適用して好適なるものである。
【背景技術】
【０００２】
近年、インターネット等を用いて携帯電話等の端末装置に種々の情報を提供するサービスが普及している。特に、ＧＰＳ（Global Positioning System）や携帯電話等の基地局を利用して端末装置の位置情報を取得し、当該位置情報に関連するコンテンツをユーザに提供するサービスが展開されている。
【０００３】
例えば、特許文献１および２には、コンテンツを提供するサーバ装置において所定範囲のエリア毎のコンテンツ情報を保持し、端末装置が当該エリアに位置している場合にエリアに関連するコンテンツを配信する技術が開示されている。
【０００４】
また、特許文献３には、端末装置の所定のエリアにおける滞在度を算出し、ユーザが頻繁に訪れるエリアに関連する情報を提供する技術が開示されている。特許文献１〜３によれば、ユーザが現在位置しているエリアや、頻繁に滞在しているエリアの店舗や施設などの情報を含むコンテンツを提供して、訪問させたい店舗や施設にユーザを誘導することが可能となる。
【先行技術文献】
【特許文献】
【０００５】
【特許文献１】特開２００５−１８４２７１号公報
【特許文献２】特開２０１０−３３５２５号公報
【特許文献３】特開２００３−４４５１２号公報
【発明の概要】
【発明が解決しようとする課題】
【０００６】
しかし、上記特許文献においては、位置情報に関連付けられたコンテンツがユーザの意図に関わらず一方的に配信される。例えば、位置情報に対応する複数のエリアが混在している場合には、ユーザがいずれのエリアに滞在しているか判別することができず、ユーザが所望していないコンテンツが配信されてしまうという問題があった。また、ユーザが滞在しているエリアに関連するコンテンツが複数ある場合には、ユーザが所望するコンテンツを所望のタイミングで配信することが望まれる。
本発明は以上の点を考慮してなされたもので、位置情報に対応するエリアに関連する複数のコンテンツからユーザが所望するコンテンツを所望のタイミングで配信することが可能なサーバ装置、情報処理システム、情報処理端末および情報処理方法を提案しようとするものである。
【課題を解決するための手段】
【０００７】
かかる課題を解決するために本発明においては、１または２以上の情報処理端末とネットワークを介して接続されたサーバ装置であって、所定の位置情報と、前記位置情報を含むエリアを示す１または２以上のエリア情報と、前記エリア情報に関連するコンテンツとを関連付けてエリア情報テーブルに記憶する記憶部と、前記情報処理端末から送信される前記情報処理帯端末の位置情報を受信する受信部と、前記受信部により受信された前記位置情報に関連付けられた１または２以上の前記エリア情報を選択し、さらに、前記情報処理端末のユーザ操作に応じて１または２以上の前記エリア情報から少なくとも１の前記エリア情報が選択された場合に、前記エリア情報に関連付けられた前記コンテンツを選択する選択部と、前記エリア情報が選択された後所定時間内に前記情報処理端末から前記コンテンツの送信要求を受信した場合に、前記選択部により選択された前記コンテンツを前記情報処理端末に送信する送信部と、を備えることを特徴とする、サーバ装置が提供される。
【０００８】
かかる構成によれば、情報処理端末において取得された位置情報がサーバ装置に送信されて、当該位置情報に関連付けられた複数のエリア情報が情報処理端末の表示部に表示される。そしてユーザ操作により、複数のエリアから一のエリアが選択され、当該エリアに関連付けられたコンテンツが選択される。そして、エリア情報が選択された後、所定時間内に情報処理端末からコンテンツの送信要求を受信した場合に、選択されたコンテンツが情報処理端末に送信される。これにより、位置情報に関連付けられたコンテンツが一方的に配信されたり、ユーザが所望していないコンテンツが配信されたりすることがなく、ユーザが位置するエリアに関連するコンテンツをユーザの所望のタイミングでコンテンツを配信することが可能となる。
【発明の効果】
【０００９】
本発明によれば、位置情報に対応するエリアに関連する複数のコンテンツからユーザが所望するコンテンツを所望のタイミングで配信することができる。
【図面の簡単な説明】
【００１０】
【図１】本発明の一実施の形態にかかる情報処理システムの概要を示す概念図である。
【図２】同実施の形態にかかるサーバ装置のハードウェア構成を示すブロック図である。
【図３】同実施の形態にかかる情報処理端末およびサーバ装置の機能構成を示すブロック図である。
【図４】同実施の形態にかかるエリア情報テーブルの一例を示す図表である。
【図５】同実施の形態にかかるユーザ情報テーブルの一例を示す図表である。
【図６】同実施の形態にかかるコンテンツ配信処理の概要を示すタイミングチャートである。
【図７】同実施の形態にかかるチェックイン処理を示すフローチャートである。
【図８】同実施の形態にかかる情報処理端末に表示される画面例である。
【図９】同実施の形態にかかる情報処理端末に表示される画面例である。
【図１０】同実施の形態にかかる情報処理端末に表示される画面例である。
【図１１】同実施の形態にかかるグッズ表示処理を示すフローチャートである。
【図１２】同実施の形態にかかる情報処理端末に表示される画面例である。
【図１３】同実施の形態にかかる情報処理端末に表示される画面例である。
【図１４】同実施の形態にかかるスタンプの付与処理を示すフローチャートである。
【図１５】同実施の形態にかかるポイントの付与処理を示すフローチャートである。
【図１６】同実施の形態にかかるバッジの付与処理を示すフローチャートである。
【図１７】同実施の形態にかかる情報処理端末に表示される画面例である。
【図１８】同実施の形態にかかる情報処理端末に表示される画面例である。
【図１９】同実施の形態にかかる情報処理端末に表示される画面例である。
【図２０】同実施の形態にかかるグッズ購入処理を示すフローチャートである。
【図２１】同実施の形態にかかる情報処理端末に表示される画面例である。
【図２２】同実施の形態にかかる情報処理端末に表示される画面例である。
【図２３】同実施の形態にかかる情報処理端末に表示される画面例である。
【図２４】同実施の形態にかかる情報処理端末に表示される画面例である。
【図２５】同実施の形態にかかる情報処理端末に表示される画面例である。
【発明を実施するための形態】
【００１１】
以下図面について、本発明の一実施の形態を詳述する。
【００１２】
（１）情報処理システムの概要
まず、図１を参照して、情報処理システム１の概要について説明する。図１は、情報処理システム１の概要を説明する概念図である。図１に示すように、情報処理システム１は、複数の情報処理端末１００ａ、１００ｂ、１００ｃ（以降、情報処理端末１００とも称する。）と、サーバ装置２００と、ネットワーク３００などを主に備える。
【００１３】
情報処理端末１００は、ユーザの所有する携帯端末であって、例えば、携帯電話やＰＤＡ（Ｐｅｒｓｏｎａｌ  Ｄｉｇｉｔａｌ  Ａｓｓｉｓｔａｎｔ）や小型のＰＣ（Ｐｅｒｓｏｎａｌ  Ｃｏｍｐｕｔｅｒ）など、表示装置を備える情報処理端末である。また、情報処理端末１００は、ネットワーク３００を介してサーバ装置２００と接続されている。
【００１４】
ネットワーク３００は、情報処理端末１００とサーバ装置２００とを通信可能に接続する通信回線網であり、例えば、インターネット、電話回線網、衛星通信網等の公衆回線網や、ＷＡＮ（Wide Area Network）、ＬＡＮ（Local Area Network）、ＩＰ−ＶＰＮ等の専用回線網などで構成されており、有線、無線を問わない。
【００１５】
また、サーバ装置２００は、ネットワークを介して情報処理端末１００と接続して、コンテンツ等のデータの送受信を行う情報処理装置である。
【００１６】
ここで、本実施形態の概要について説明する。近年、インターネット等を用いて携帯電話等の端末装置に種々の情報を提供するサービスが普及している。特に、ＧＰＳ（Global Positioning System）や携帯電話等の基地局を利用して端末装置の位置情報を取得し、当該位置情報に関連するコンテンツをユーザに提供するサービスが展開されている。
【００１７】
例えば、コンテンツを提供するサーバ装置２００において所定範囲のエリア毎のコンテンツ情報を保持し、端末装置が当該エリアに位置している場合にエリアに関連するコンテンツを配信する技術や、端末装置の所定のエリアにおける滞在度を算出し、ユーザが頻繁に訪れるエリアに関連する情報を提供する技術が開示されている。上記実施形態によれば、ユーザが現在位置しているエリアや、頻繁に滞在しているエリアの店舗や施設などの情報を含むコンテンツを提供して、訪問させたい店舗や施設にユーザを誘導することが可能となる。
【００１８】
しかし、上記特許文献においては、位置情報に関連付けられたコンテンツが一方的に配信されてしまう。例えば、位置情報に対応する複数のエリアが混在している場合には、ユーザがいずれのエリアに滞在しているか判別することができず、ユーザが所望していないコンテンツが配信されてしまうという問題があった。また、ユーザが滞在しているエリアに関連するコンテンツが複数ある場合には、ユーザが所望するコンテンツを所望のタイミングで配信することが望まれる。そこで、上記のような事情を一着眼点として、本発明の実施形態にかかる情報処理システム１が創作されるに至った。本実施形態にかかる情報処理システム１によれば、位置情報に対応するエリアに関連する複数のコンテンツからユーザが所望するコンテンツを所望のタイミングで配信することが可能となる。
【００１９】
例えば、サーバ装置２００において、所定の位置情報を含む複数のエリアと各エリアに情報処理端末１００に提供可能なコンテンツが関連付けられて管理されているとする。サーバ装置２００は、ネットワーク３００を介して情報処理端末１００の位置情報を取得し、当該位置情報に関連するコンテンツを配信することが可能である。しかし、情報処理端末１００の位置情報だけでは、ユーザがいずれのコンテンツの配信を所望しているかを判別することができないため、ユーザが所望していないコンテンツが配信されてしまう可能性がある。
【００２０】
そこで、本実施形態では、情報処理端末１００の位置情報を取得し、さらに、情報処理端末１００のユーザ操作に応じて位置情報を含むエリアが選択された場合に、当該エリアに関連するコンテンツを配信する。これにより、ユーザ所望のコンテンツを配信することが可能となる。さらに、情報処理端末１００からコンテンツの送信要求があった場合に、選択されたエリアに関連するコンテンツを配信することにより、ユーザの所望のタイミングでコンテンツを配信することが可能となる。ここで、位置情報を含むエリアとは、例えば、鉄道の駅や、道の駅、サービスエリア、空港、港などの施設を例示することができ、実際に存在する施設や、仮想的に設定された施設のいずれであってもよい。
【００２１】
また、サーバ装置２００は、ユーザ操作に応じてエリアが選択された後、所定時間内に情報処理端末１００からコンテンツの送信要求を受信した場合に、選択されたエリアに関連するコンテンツを送信する。これにより、ユーザがある場所を通過したり、何らの目的もなくある場所に位置していたりする場合に、サーバ装置２００から一方的にユーザの所望していないコンテンツが配信されることを回避することができる。
【００２２】
また、本実施形態では、ユーザは、エリアを選択した後に、当該エリアの登録手続きを行う。具体的に、情報処理端末１００において、ユーザ操作によりエリアが選択された後、当該エリアに登録手続き（「チェックイン」）をするためのボタンが選択される。そして、ユーザが当該エリアの登録手続き（「チェックイン」）をしたことが、情報処理端末１００からサーバ装置２００に通知される。サーバ装置２００は、ユーザ操作によるエリアの登録手続きを契機に、エリアに関連するコンテンツを送信してもよい。例えば、エリアへの登録手続きにより、当該エリアでしか購入できないエリア限定のグッズに関する情報を提供してもよい。また、コンテンツを購入することができるポイントを付与したり、エリアにチェックインしたことを示すスタンプを付与したり、エリアにチェックインしなければ取得できないバッジを付与したりするなど、情報処理端末１００に送信するコンテンツに付加価値を付けることができる。
【００２３】
また、ユーザ操作により購入されたエリア限定のグッズや、スタンプやバッジなどを収集して、他のユーザとＴｗｉｔｔｅｒ等のオンラインコミュニティ上で交流することができる。Ｔｗｉｔｔｅｒとは、個々のユーザが「つぶやき」を投稿し合うことでつながるコミュニケーション・サービスである。各ユーザは、自分専用のサイトを持ち、例えば「今、何しているの？」という質問に対して、１４０字以内でコメントを投稿する。本実施形態では、例えば、スタンプやバッジが付与された場合に、スタンプやバッジが付与されたことをＴｗｉｔｔｅｒ上で投稿するためのＵＲＬを情報処理端末１００の表示画面に表示させてもよい。また、スタンプやバッジが付与された場合に、同じスタンプやバッジを取得している他のユーザの情報を情報処理端末１００の表示画面に表示させてもよい。
【００２４】
このように、本実施形態によれば、単に、駅等のエリアに関連するスタンプやバッジなどの画像を含むコンテンツをユーザに提供するだけでなく、スタンプやバッジを収集したり、他のユーザと見せ合ったりすることにより、コンテンツを介してユーザの興趣性をさらに高めることが可能となる。
【００２５】
（２）サーバ装置および情報処理端末のハードウェア構成
図２は、本実施の形態にかかる情報処理システム１を構成するサーバ装置２００のハードウェア構成の一例を示したブロック図である。サーバ装置２００は、ＣＰＵ（Ｃｅｎｔｒａｌ  Ｐｒｏｃｅｓｓｉｎｇ  Ｕｎｉｔ）２１と、ＲＯＭ（Ｒｅａｄ  Ｏｎｌｙ  Ｍｅｍｏｒｙ）２２と、ＲＡＭ（Ｒａｎｄｏｍ  Ａｃｃｅｓｓ  Ｍｅｍｏｒｙ）２３と、ホストバス２４と、ブリッジ２５と、外部バス２６と、インタフェース２７と、入力装置２８と、出力装置２９と、ストレージ装置（ＨＤＤ）３０と、ドライブ３１と、通信装置３２とを備える。
【００２６】
ＣＰＵ２１は、演算処理装置および制御装置として機能し、各種プログラムに従ってサーバ装置２００内の動作全般を制御する。また、ＣＰＵ２１は、マイクロプロセッサであってもよい。ＲＯＭ２２は、ＣＰＵ２１が使用するプログラムや演算パラメータ等を記憶する。ＲＡＭ２３は、ＣＰＵ２１の実行において使用するプログラムや、その実行において適宜変化するパラメータ等を一次記憶する。これらはＣＰＵバスなどから構成されるホストバス２４により相互に接続されている。
【００２７】
ホストバス２４は、ブリッジ２５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス２６に接続されている。なお、必ずしもホストバス２４、ブリッジ２５および外部バス２６を分離構成する必要はなく、一のバスにこれらの機能を実装してもよい。
【００２８】
入力装置２８は、例えば、マウス、キーボード、タッチパネル、ボタン、マイク、スイッチおよびレバーなどユーザが情報を入力するための入力手段と、ユーザによる入力に基づいて入力信号を生成し、ＣＰＵ２１に出力する入力制御回路などから構成されている。サーバ装置２００の管理者は、該入力装置２８を操作することにより、サーバ装置２００に対して各種のデータを入力したり処理動作を指示したりすることができる。
【００２９】
出力装置２９は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｓｐｌａｙ）装置およびランプなどの表示装置と、スピーカおよびヘッドホンなどの音声出力装置で構成される。出力装置２９は、例えば、再生されたコンテンツを出力する。具体的には、表示装置は再生された映像データ等の各種情報をテキストまたはイメージで表示する。一方、音声出力装置は、再生された音声データ等を音声に変換して出力する。
【００３０】
ストレージ装置３０は、本実施形態にかかるサーバ装置２００の記憶部の一例として構成されたデータ格納用の装置であり、記憶媒体、記憶媒体にデータを記録する記録装置、記憶媒体からデータを読み出す読出し装置および記憶媒体に記録されたデータを削除する削除装置などを含むことができる。ストレージ装置３０は、例えば、ＨＤＤ（Ｈａｒｄ  Ｄｉｓｋ  Ｄｒｉｖｅ）で構成される。このストレージ装置３０は、ハードディスクを駆動し、ＣＰＵ２１が実行するプログラムや各種データを格納する。
【００３１】
ドライブ３１は、記憶媒体用リーダライタであり、サーバ装置２００に内蔵、あるいは外付けされる。ドライブ３１は、装着されている磁気ディスク、光ディスク、光磁気ディスク、または半導体メモリ等のリムーバブル記憶媒体３５に記録されている情報を読み出して、ＲＡＭ２３に出力する。
【００３２】
接続ポート（図示せず）は、外部機器と接続されるインタフェースであって、例えばＵＳＢ（Ｕｎｉｖｅｒｓａｌ  Ｓｅｒｉａｌ  Ｂｕｓ）などによりデータ伝送可能な外部機器との接続口である。
【００３３】
通信装置３２は、例えば、ネットワーク３００に接続するための通信デバイス等で構成された通信インタフェースである。また、通信装置３２は、無線ＬＡＮ（Ｌｏｃａｌ  Ａｒｅａ  Ｎｅｔｗｏｒｋ）対応通信装置であっても、ワイヤレスＵＳＢ対応通信装置であっても、有線による通信を行うワイヤー通信装置であってもよい。この通信装置２１５は、情報処理端末１００との間で、ネットワーク３００を介して各種データを送受信する。
【００３４】
以上、サーバ装置２００のハードウェア構成例を、図２を参照して説明した。なお、情報処理端末１００も、サーバ装置２００のハードウェア構成と実質的に同一のハードウェア構成とすることができるため、説明を省略する。
【００３５】
（３）情報処理端末およびサーバ装置の機能構成
次に、情報処理端末１００およびサーバ装置２００の機能構成について説明する。図３に示すように、情報処理端末１００は、取得部１０２、送信部１０４、受信部１０６、表示制御部１０８および検出部１１０などを備える。
【００３６】
取得部１０２は、ユーザ操作に応じて情報処理端末１００を所有するユーザの現在の位置情報を特定する機能を有する。取得部１０２は、例えば、ＧＰＳや携帯電話等の基地局を利用した位置情報システムを用いて位置情報を特定している。ＧＰＳは、ＧＰＳ衛星から発信される情報を利用して現在位置を特定し、緯度経度等の情報を取得することができる。また、ＧＰＳは、主に、移動端末が屋外に位置している場合に位置情報を特定するシステムである。
【００３７】
また、携帯電話等の基地局には、携帯電話等の位置情報が登録されるため、当該位置情報を利用して情報処理端末１００の位置情報を取得することができる。また、無線ＬＡＮの基地局により送信されるＷｉＦｉ電波の信号強度を利用して現在位置を取得してもよい。具体的に各基地局からのＷｉＦｉ電波の受信強度から各基地局との距離を推定し、各基地局との距離および各基地局の位置を利用して、三角測量の原理に基づいて現在位置を取得してもよい。取得部１０２は、取得した情報処理端末１００の位置情報を送信部１０４に提供する。無線ＬＡＮを利用して位置情報を取得する場合には、緯度経度だけでなく、住所情報や、ビルの階数情報等を特定することができる。
【００３８】
送信部１０４は、ネットワーク３００を介してサーバ装置２００に接続可能なインタフェースであって、取得部１０２に提供された情報処理端末１００の位置情報をサーバ装置２０２に送信する機能を有する。受信部１０６は、ネットワーク３００を介してサーバ装置２００に接続可能なインタフェースであって、サーバ装置２００から送信される表示画面を含むコンテンツや、バッジやスタンプ等の画像を含むコンテンツを受信する。受信部１０６は、受信した表示画面等のコンテンツを表示制御部１０８に提供する。
【００３９】
表示制御部１０８は、情報処理端末１００の表示部に画像や文字等の表示画面を表示させる機能を有する。表示制御部１０８は、受信部１０６から提供されるコンテンツを表示部に表示させる。
【００４０】
検出部１１０は、ユーザ操作に応じて、表示画面に表示されたボタンやＵＲＬ等が選択されたか否かを検出する。なお、ユーザは、情報処理端末の入力部であるテンキーを操作して、ボタンやＵＲＬ等を選択してもよいし、表示画面を直接押下して各種ボタンを選択してもよい。検出部１１０は、ユーザ操作に応じて表示画面に表示されたボタンやＵＲＬ等が選択されたことを検出した場合には、検出結果を送信部１０４に提供する。送信部１０４は、検出部１１０により検出結果が提供された場合に、ボタンやＵＲＬ等が選択されたことをサーバ装置２００に通知する。
【００４１】
また、図３に示すように、サーバ装置２００は、受信部２０２、判定部２０４、送信部２０６、生成部２０８、選択部２１０、記憶装置２１２などを備える。
【００４２】
受信部２０２は、ネットワーク３００を介して情報処理端末１００に接続可能なインタフェースであって、情報処理端末１００の送信部１０４から送信された情報処理端末１００の位置情報を受信したり、情報処理端末１００の検出部１１０により検出された検出結果を受信したりする機能を有する。
【００４３】
選択部２１０は、受信部２０２により受信された位置情報に関連付けられた１または２以上のエリア情報を選択する。さらに、情報処理端末１００のユーザ操作に応じて１または２以上のエリア情報から少なくとも１のエリア情報が選択された場合に、エリア情報に関連付けられたコンテンツを選択する機能を有する。選択部２１０は、記憶装置２１２に格納されたエリア情報テーブル２２０を参照して、位置情報に関連付けられたエリア情報を選択したり、エリア情報に関連付けられたコンテンツを選択したりする。
【００４４】
ここで、位置情報に関連付けられたエリア情報とは、上記したように、鉄道の駅等の情報である。また、エリア情報に関連付けられたコンテンツとは、例えば、駅限定のグッズや、駅のスタンプ、バッジなどの画像情報を例示できる。
【００４５】
エリア情報テーブル２２０は、記憶装置２１２に記憶され、位置情報に関連付けられている情報を管理するテーブルである。図４に示すように、エリア情報テーブル２２０は位置情報欄２２１、駅欄２２２、スタンプ欄２２３、バッジ欄２２４、グッズ欄２２５から構成される。
【００４６】
位置情報欄２２１には、緯度経度を示す情報や、住所情報を示す情報が格納されている。駅欄２２２には、位置情報欄２２１に格納された位置情報に対応する駅の名称が格納されている。駅欄２２２には、位置情報に対応する複数の駅の名称が格納されていてもよい。
【００４７】
また、スタンプ欄２２３には、各駅に対応するスタンプの画像を示す情報が格納されている。また、バッジ欄２２４には、各駅に対応するバッジの画像を示す情報が格納されている。また、グッズ欄２２５には、各駅に対応するグッズの画像を示す情報が格納されている。なお、スタンプの画像を示す情報は、各駅を１対１で対応させるようにし、バッジの画像を示す情報は、複数の駅と対応させてもよい。
【００４８】
図３に戻り、判定部２０４は、情報処理端末のユーザ操作により、所定のエリアへの登録手続きを示す「チェックインボタン」が選択されたか否かを判定する。また、判定部２０４は、ユーザ操作により、所定のエリアへの登録手続きを示す「チェックインボタン」が選択された後、所定時間内にコンテンツの送信を要求するための送信要求ボタンが選択されたか否かを判定する機能を有する。判定部２０４は、受信部２０２から、情報処理端末１００のユーザが、チェックインボタンを選択されたことやコンテンツの送信要求ボタンが選択されたことを通知される。判定部２０４は、チェックインボタンが選択された後所定時間内にコンテンツの送信要求ボタンが選択されたか否かについての判定結果を付与部２０５に通知する。
【００４９】
付与部２０５は、判定部２０４により、チェックインボタンが選択されたことが通知された場合に、所定のポイントを示すポイント情報を付与する。ここで、ポイント情報を付与するとは、後述する送信部２０６を介して情報処理端末１００にポイント情報を提供することを意味する。以下では、情報処理端末１００にポイント情報を提供することを、情報処理端末１００のユーザにポイントを付与すると称して説明する。
【００５０】
具体的に、付与部２０５は、情報処理端末１００のユーザに対して、予め設定されたチェックイン時のポイントを付与する。例えば、一日のうち初めてチェックインした場合に５ポイントを付与したり、あるエリアに初めてチェックインした場合に３ポイントを付与したりしてもよい。また、一日に付与されたポイントが１０ポイントになるまでポイントを付与したり、一日に付与されたポイントが１０ポイントになった後はポイントを付与しないようにしてもよい。
【００５１】
さらに付与部２０５は、チェックインボタンが選択された場合に、チェックインしたエリアに関連するスタンプやバッジに関する画像情報を情報処理端末１００に提供する。ポイント情報と同様に、情報処理端末１００にスタンプおよびバッジに関する画像情報を提供することを、情報処理端末１００のユーザにスタンプおよびバッジを付与すると称して説明する。
【００５２】
上記したように、例えば、エリアが鉄道の駅である場合には、チェックインした駅のスタンプを付与したり、チェックインした駅に関連するバッジを付与したりする。例えば、「目黒駅」など「黒」が含まれる駅に初めてチェックインした場合には、バッジ名称「ブラック」のバッジが付与されたり、「目白駅」など「白」が含まれる駅に初めてチェックインした場合には、バッジ名称「ホワイト」のバッジが付与されたりする。また、付与されたスタンプと連動させてバッジを付与するようにしてもよい。例えば、「目白駅」と「目黒駅」のスタンプを付与されたユーザに対して、バッジ名称「パンダ」のバッジを付与してもよい。
【００５３】
送信部２０６は、ネットワーク３００を介して情報処理端末１００に接続可能なインタフェースであって、エリア情報が選択された後、所定時間内に情報処理端末１００からコンテンツの送信要求を受信した場合に、選択部２１０により選択されたコンテンツを情報処理端末１００に送信する。また、送信部２０６は、後述する生成部２０８により生成された各種表示画面を情報処理端末１００に送信する。
【００５４】
また、送信部２０６は、情報処理端末１００のユーザ操作によりチェックインボタンが選択された場合に、ポイント情報を情報処理端末１００に送信する。ポイント情報は、上記したエリア情報テーブル２２０に格納されていてもよいし、チェックインされる毎に所定のポイント数を示すポイント情報を情報処理端末１００に送信してもよい。また、送信部２０６は、情報処理端末１００のユーザ操作によりチェックインボタンが選択された場合に、駅のスタンプやバッジを示す画像を含むコンテンツを情報処理端末１００に送信してもよい。
【００５５】
また、送信部２０６は、ユーザごとにチェックイン履歴や、購入履歴等が対応付けられたユーザ情報テーブル２３０を参照して、ポイント情報やスタンプやバッジを示す画像を情報処理端末１００に送信する。
【００５６】
ここで、ユーザ情報テーブル２３０について説明する。ユーザ情報テーブル２３０は、ユーザを識別するユーザＩＤとユーザに付与されたポイント情報等を管理するテーブルであって、図５に示すように、ユーザＩＤ欄２３１、ポイント欄２３２、スタンプ欄２３４、バッジ欄２３５、グッズ欄２３６、チェックイン履歴欄２３８、購入履歴欄２３９から構成される。
【００５７】
ユーザＩＤ欄２３１には、情報処理端末１００のユーザを識別するユーザＩＤが格納される。ポイント欄２３２には、ユーザに付与されたポイント情報が格納される。スタンプ欄２３４およびバッジ欄２３５には、それぞれ、ユーザに付与されたスタンプおよびバッジの情報が格納される。グッズ欄２３６には、ユーザが購入したグッズに関する情報が格納される。チェックイン履歴欄２３８には、ユーザがチェックインした履歴の情報が格納される。購入履歴欄２３９には、ユーザがグッズや実際の商品等を購入した履歴の情報が格納される。
【００５８】
図３に戻り、生成部２０８は、情報処理端末１００の表示部に表示させる表示画面を生成する機能を有する。具体的に、生成部２０８は、選択部２１０により選択されたエリアにチェックインするためのチェックインボタンを含むチェックイン画面を生成して、送信部２０６に提供する。また、ユーザ操作によりチェックインボタンが選択された場合に、エリア情報に対応付けられたコンテンツの送信を要求するための送信要求ボタンを含む購入画面を生成する機能を有する。
【００５９】
また、生成部２０８は、選択部２１０により選択されたコンテンツとコンテンツの送信要求ボタンを含む表示画面を生成する。上記したように、選択部２１０により、エリア情報に関連付けられたコンテンツが選択される。エリア情報に関連付けられたコンテンツとは、例えば、エリアが鉄道の駅である場合には、その駅周辺の観光地を示す画像や、名産品を示す画像などである。当該コンテンツとコンテンツの送信要求ボタンとを含む表示画面が情報処理端末１００の表示部に表示されることにより、ユーザは、表示されたコンテンツの送信を要求することができる。
【００６０】
また、エリア情報に関連付けられたコンテンツは、エリアに関連する実際に購入可能な商品の画像であってもよい。エリアに関連する実際に購入可能な商品とは例えば、エリアが鉄道の駅である場合には、その駅周辺の特産物を示す画像である。生成部２０８は、実際に購入可能な商品の画像とともに、当該商品を購入するための購入ボタンとを含む表示画面を生成する。これにより、エリアに関連する商品等と当該商品を購入するための購入ボタンが同一の画面内に表示されるため、エリアへのチェックイン処理から、当該エリアに関連する商品の購入処理までを一連の処理としてユーザに提供することが可能となる。
【００６１】
（４）情報処理システムにおけるコンテンツ配信処理の概要
次に、本実施形態におけるコンテンツ配信処理の概要について説明する。図６に示すように、まず、情報処理端末１００は、現在の位置情報を取得する（Ｓ１０２）。そして、ステップＳ１０２において取得した位置情報をサーバ装置２００に送信する（Ｓ１０４）。
【００６２】
サーバ装置２００は、ステップＳ１０４において情報処理端末１００から送信された位置情報を受信する（Ｓ１０６）。そして、サーバ装置２００は、ステップＳ１０６において受信した位置情報に関連するエリア情報を送信する（Ｓ１０８）。情報処理端末１００は、ステップＳ１０８において、サーバ装置２００から送信されたエリア情報を表示部に表示する（Ｓ１１０）。そして、情報処理端末１００は、ユーザ操作に応じて、表示部に表示されたエリア情報から、一のエリアを選択する（Ｓ１１２）。
【００６３】
サーバ装置２００は、ステップＳ１１２において情報処理端末１００に選択された一のエリアに関連するコンテンツを選択する（Ｓ１１４）。そして、サーバ装置２００は、ステップＳ１１４において選択したコンテンツを情報処理端末１００に送信する（Ｓ１１６）。そして、ステップＳ１１６において、サーバ装置２００からコンテンツを送信された情報処理端末１００は、表示部に当該コンテンツを表示する（Ｓ１１８）。
【００６４】
（５）情報処理端末およびサーバ装置におけるコンテンツ配信処理の詳細
（５−１）チェックイン処理
次に、情報処理端末１００およびサーバ装置２００におけるコンテンツ配信処理の詳細について説明する。まず、図６のステップＳ１１２におけるエリア選択処理において実行されるチェックイン処理の詳細について説明する。以下では、サーバ装置２００を主体にして各処理を説明するが、実際には、情報処理端末１００のユーザ操作に応じて各種ボタンが選択されたり、エリア等が選択されたりする。また、サーバ装置２００において生成された表示画面情報が情報処理端末１００に送信されて、当該表示画面が情報処理端末１００の表示部に表示される。
【００６５】
図７に示すように、まず、サーバ装置２００は、情報処理端末１００のユーザ操作により現在地送信ボタンが選択されたか否かを判定する（Ｓ１２０）。ステップＳ１２０において、現在地送信ボタンが選択されたと判定された場合には、サーバ装置２００は、位置情報送信結果を情報処理端末１００の表示部に表示する（Ｓ１２２）。
【００６６】
図８に示すように、表示画面５０１に現在地送信ボタン５０１１が情報処理端末１００の表示部に表示される。表示画面５０１には、情報処理端末１００のユーザに付与されたスタンプ５０１２や、バッジ５０１３や、グッズ５０１４に関する情報も表示される。そして、ユーザ操作に応じて、現在地送信ボタン５０１１が選択されると、表示画面５０２が情報処理端末１００の表示部に表示される。さらに、ユーザ操作に応じて、ポップアップ画面５０２２に「現在地確認」、「位置履歴より確認」、「電話帳より確認」ボタンが選択される。そして、ポップアップ画面５０２２のいずれかのボタンが選択されると、現在位置を確認する表示画面５０３が表示される。
【００６７】
そして、情報処理端末１００の現在位置を情報提供者に送信するか否かを問い合わせる表示画面５０４が表示される。ここで、情報提供者とは、サーバ装置２００であってもよいし、サーバ装置２００を介して、コンテンツを提供する他のサーバ装置であってもよい。そして、情報提供者に現在位置を送信する旨を問い合わせるポップアップ画面５０４１において、ユーザ操作に応じて「はい」ボタンが選択された場合に、位置情報送信結果５０５が表示される。位置情報送信結果５０５においては、例えば、現在位置を含む所定の範囲以内に位置する駅５０１２がチェックイン出来る駅５０５１欄に表示される。なお、所定の範囲以内に位置する駅とは、例えば、半径３００メートル以内に位置する駅を例示できる。さらに、チェックイン出来る駅５０５１の周辺の駅５０１４を表示させてもよい。
【００６８】
図７に戻り、ステップＳ１２２において位置情報送信結果が表示された後、サーバ装置２００は、情報処理端末１００のユーザ操作によりチェックイン可能な駅が選択されたか否かを判定する（Ｓ１２４）。ステップＳ１２４において、チェックイン可能な駅が選択された場合には、サーバ装置２００は、チェックイン画面を情報処理端末１００の表示部に表示する（Ｓ１２６）。ステップＳ１２４において、チェックイン可能な駅が選択されなかった場合には、ステップＳ１２２の処理に戻る。
【００６９】
さらに、サーバ装置２００は、チェックインがＯＫか否かを判定する（Ｓ１２８）。具体的に、サーバ装置２００は、ユーザ操作に応じてチェックインボタンが選択された場合に、チェックインされた駅が示す位置情報の所定の範囲以内（例えば、半径３００メートル以内）に、情報処理端末１００の現在位置が含まれるか否かを判定する。そして、サーバ装置２００は、情報処理端末１００の現在位置がチェックインされた駅の所定の範囲以内（例えば、半径３００メートル以内）である場合にチェックインＯＫであると判定する。ステップＳ１２８において、チェックインがＯＫであると判定された場合には、情報処理端末１００は、チェックイン完了画面を表示部に表示する（Ｓ１３０）。
【００７０】
一方、ステップＳ１２８において、チェックインがＯＫではないと判定された場合には、情報処理端末１００は、チェックインＮＧ画面を表示部に表示する（Ｓ１３２）。具体的に、サーバ装置２００は、情報処理端末１００の現在位置がチェックインされた駅の所定の範囲以内（例えば、半径３００メートル以内）ではない場合に、チェックインＮＧと判定する。
【００７１】
図８に示した位置情報送信結果５０５において、チェックイン出来る駅５０５１の駅名５０１２が選択されると、当該駅のチェックイン画面５１０が表示される。チェックイン画面５１０には、チェックインボタン５１０１が含まれる。また、チェックイン画面５１０には、当該駅にチェックインすることにより購入可能なグッズ５１０２や、当該駅に多数回チェックインしている他のユーザのチェックインランキング５１０３や、当該駅に最近チェックインした他のユーザのチェックイン履歴５１０４も含まれる。
【００７２】
図９に示すように、チェックイン画面５１０において、チェックインボタン５１０１が選択され、チェックインがＯＫだった場合には、チェックイン完了画面５１１が表示される。一方、図１０に示すように、チェックイン画面５１０において、チェックインボタン５１０１が選択され、チェックインがＮＧだった場合には、チェックインＮＧ画面５１２が表示される。チェックインがＯＫか否かは、サーバ装置２００により判定される。
【００７３】
（５−２）グッズ表示処理
次に、図６のエリア選択処理（ステップＳ１１２）からコンテンツ表示処理（ステップＳ１１８）の具体例である、エリアに関連するグッズの表示処理について説明する。図１１に示すように、まず、サーバ装置２００は、情報処理端末１００のユーザ操作によりチェックインボタンが選択されたか否かを判定する（Ｓ１４０）。
【００７４】
そして、ステップＳ１４０においてチェックインボタンが選択されたと判定された場合には、サーバ装置２００は、チェックインした駅を取得する（Ｓ１４２）。そして、サーバ装置２００は、ステップＳ１４２において取得した駅で獲得できるグッズがあるか否かを判定する（Ｓ１４６）。具体的に、サーバ装置２００は、エリア情報テーブル２２０を参照して、チェックインした駅に関連付けられたグッズがあるか否かを判定する。
【００７５】
ステップＳ１４６において、チェックインした駅に関連付けられたグッズがあると判定された場合には、サーバ装置２００は、当該グッズを示す画像を情報処理端末１００の表示部に表示させる（Ｓ１４８）。例えば、図１２に示すように、チェックインした駅が「仙台駅」だった場合には、仙台駅に関連付けられた各種グッズを示す画像が表示画面５１５１に表示される。例えば、表示画面５１５１には、「ササニシキ」を示す画像５１５１、「弘前城」を示す画像５１５２、「伊達正宗」を示す画像５１５３、「仙台温泉」を示す画像５１５４、「伊達正宗」の黄金像を示す画像５１５５が表示される。
【００７６】
そして、ユーザ操作により、表示画面５１５に表示されたグッズのうちいずれかのグッズが選択された場合には、当該グッズの詳細ページ５１６が表示される。詳細ページ５１６は、例えば、「ササニシキ」を示す画像５１６２が表示される。また、グッズの詳細ページ５１６には、「ササニシキ」を示す画像を取得している他のユーザの情報欄５１６３と、「ササニシキ」を示す画像に関するＴｗｉｔｔｅｒ欄５１６４、「ササニシキ」を示す画像を購入可能な他の駅に関する情報欄５１６５などが表示される。
【００７７】
また、図１３に示すように、表示画面５１５に表示されたグッズのうち、購入可能期間や購入可能個数が限定された限定グッズが選択された場合には、限定グッズの詳細ページ５１７が表示される。限定グッズの詳細ページ５１７には、限定グッズである「伊達正宗の黄金像」を示す画像５１７２とともに、当該グッズを購入可能な期間や、当該グッズの購入可能個数が表示される。また、限定グッズが期間限定のグッズである場合には、当該グッズを購入可能な期間が表示され、限定グッズが個数限定のグッズである場合には、当該グッズを購入可能な個数が表示される。
【００７８】
（５−３）スタンプ等の付与処理
次に、サーバ装置２００によるスタンプ、ポイント、バッジの付与処理について説明する。まず、スタンプの付与処理について説明する。図１４に示すように、まず、サーバ装置２００は、チェックインボタンが選択されたか否かを判定する（Ｓ１５０）。そして、ステップＳ１５０において、チェックインボタンが選択されたと判定された場合には、サーバ装置２００は、チェックインした駅を取得する（Ｓ１５２）。
【００７９】
そして、サーバ装置２００は、チェックインしたユーザが、ステップＳ１５２において取得した駅に初めてチェックインしたか否かを判定する（Ｓ１５４）。具体的に、サーバ装置２００は、ユーザ情報テーブル２３０を参照して、チェックイン履歴欄２３８に、当該駅へのチェックイン履歴があるか否かを判定する。
【００８０】
そして、ステップＳ１５４において、当該駅に初めてチェックインしたと判定された場合には、サーバ装置２００は、当該駅のスタンプを付与する（Ｓ１５６）。具体的に、サーバ装置２００は、エリア情報テーブル２２０を参照して当該駅に関連付けられたスタンプを示す画像を取得して、当該画像の情報を情報処理端末１００に送信する。ステップＳ１５４において、当該駅にチェックインしたことがあると判定された場合には、処理を終了する。
【００８１】
次に、ポイントの付与処理について説明する。図１５に示すように、まず、サーバ装置２００は、チェックインボタンが選択されたか否かを判定する（Ｓ１６０）。そして、ステップＳ１６０において、チェックインボタンが選択されたと判定された場合には、サーバ装置２００は、チェックインした駅を取得する（Ｓ１６２）。
【００８２】
そして、サーバ装置２００は、チェックインしたユーザの一日の取得ポイントが１０ポイントより少ないか否かを判定する（Ｓ１６４）。具体的に、サーバ装置２００は、ユーザ情報テーブル２３０を参照して、一日の取得ポイントが１０ポイントより少ないか否かを判定する。なお、ステップＳ１６４において、一日の取得ポイントが１０ポイントより少ないか否かを判定しているが、かかる例に限定されず、取得ポイントの閾値は、所定のポイント数を予め設定することができる。また、取得ポイントの閾値をユーザ毎に設定してもよいし、特定のグループ毎に設定してもよい。
【００８３】
そして、ステップＳ１６４において、ユーザの取得ポイントが１０ポイントより少ないと判定された場合には、ユーザに所定のポイントを付与する（Ｓ１６６）。具体的に、サーバ装置２００は、予め設定されたチェックイン時のポイントを付与する。例えば、サーバ装置２００は、チェックインする都度固定のポイントを付与してもよいし、初回チェックイン時に通常の２倍のポイントを付与してもよい。また、ステップＳ１６４において、一日の取得ポイントが１０ポイント以上である場合には、処理を終了する。
【００８４】
次に、バッジの付与処理について説明する。図１６に示すように、まず、サーバ装置２００は、チェックインボタンが選択されたか否かを判定する（Ｓ１７０）。そして、ステップＳ１７０において、チェックインボタンが選択されたと判定された場合には、サーバ装置２００は、チェックインした駅を取得する（Ｓ１７２）。
【００８５】
そして、サーバ装置２００は、バッジ付与条件を満たすか否かを判定する（Ｓ１７４）。具体的に、サーバ装置２００は、チェックインした駅の情報と、ユーザ情報テーブル２３０に格納された情報などに基づいて、バッジ付与条件を満たすか否かを判定する。例えば、チェックインした駅の名称に「春」が含まれる場合には、バッジ名称「春」のバッジが付与される。また、ユーザに既に「夏」、「秋」、「冬」のバッジが付与されている場合には、バッジ名称「四季」バッジが付与される。
【００８６】
また、同一の駅に複数回チェックインした場合には、当該駅に関連するバッジが付与される。例えば、渋谷駅に１００回以上チェックインした場合には、バッジ名称「シブヤ系」のバッジが付与され、秋葉原駅に１００回以上チェックインした場合には、バッジ名称「アキバ系」のバッジが付与される。
【００８７】
また、チェックインした日付に関連するバッジを付与してもよい。例えば、１月１日にチェックインした場合には、バッジ名称「元旦」のバッジが付与され、１２月２４日にチェックインした場合には、バッジ名称「クリスマス・イブ」のバッジが付与される。さらに、ユーザの誕生日にチェックインした場合には、バッジ名称「誕生日」のバッジが付与される。
【００８８】
また、ある県の駅に初めてチェックインした場合には、バッジ名称「○○県ビジター」のバッジが付与される。また、ある県の全駅にチェックインした場合には、バッジ名称「○○県マスター」のバッジが付与される。また、ある路線の全駅にチェックインした場合には、バッジ名称「○○線マスター」のバッジが付与される。
【００８９】
次に、ポイント、スタンプ、バッジ付与処理において情報処理端末１００に表示される表示画面例について説明する。図１７に示すように、チェックイン画面５１０において、ユーザ操作により、チェックインボタン５１０１が選択されると、チェックイン完了画面５２０が表示される。チェックイン完了画面５２０には、チェックイン完了を示す表示５２０１とともに、付与されたスタンプの情報５２０２、付与されたバッジの情報５２０３、付与されたポイントの情報５２０４が表示される。
【００９０】
例えば、ユーザが初めて仙台駅にチェックインした場合には、仙台駅スタンプの画像とともに、仙台駅スタンプが付与されたことが表示される。また、ユーザが初めてチェックインした場合には、初回チェックインバッジの画像とともに、初回チェックインバッジが付与されたことが表示される。また、仙台駅に初めてチェックインした場合には、初回チェックインポイント２０ポイントが付与されたことが表示される。
【００９１】
また、図１８に示すように、付与されたスタンプの一覧５３０を表示画面に表示させてもよい。また、スタンプの一覧５３０に含まれるスタンプのうち、一のスタンプの画像５３０１がユーザ操作により選択された場合に、当該スタンプの詳細画面５３１を表示させてもよい。スタンプの詳細画面５３１には、スタンプの画像５３１１とともに、当該スタンプに関するＴｗｉｔｔｅｒ欄５３１２、当該スタンプを持っている他のユーザの情報欄５３１３などを表示させてもよい。
【００９２】
また、スタンプの一覧５３０において、都道府県スタンプ帳選択ボタン５３０２において、北海道のスタンプ帳が選択された場合に、北海道のスタンプ帳を示す表示画面５３２を表示させてもよい。表示画面５３２には、北海道に関連する駅のスタンプの画像５３２１が表示される。
【００９３】
また、図１９に示すように、付与されたバッジの一覧５４０を表示画面に表示させてもよい。また、バッジの一覧５４０に含まれるバッジのうち、一のバッジの画像５４０１がユーザ操作により選択された場合に、当該バッジの詳細画面５４１を表示させてもよい。バッジの詳細画面５４１には、バッジの画像５４１１とともに、当該バッジに関するＴｗｉｔｔｅｒ欄５４１２、当該バッジを持っている他のユーザの情報欄５４１３などを表示させてもよい。
【００９４】
また、バッジの一覧５４０において、バッジケース選択欄５４０２が選択された場合に、バッジケース５４２が表示されてもよい。バッジケース５４２には、例えば、同一の種類のバッジを表示させてもよい。
【００９５】
（５−４）グッズ等購入処理
次に、図６のステップＳ１１８においてコンテンツが表示された後、グッズ等の購入処理について説明する。図２０に示すように、まず、サーバ装置２００は、情報処理端末１００にグッズの画像を含むコンテンツを表示させる（Ｓ２０２）。そして、サーバ装置２００は、チェックイン後所定時間内か否かを判定する（Ｓ２０４）。ステップＳ２０４において、チェックイン後所定時間を経過していると判定された場合には、サーバ装置２００は、処理を終了する。
【００９６】
また、ステップＳ２０４において、チェックイン後、所定時間内であると判定された場合には、サーバ装置２００は、購入ボタンが選択されたか否かを判定する（Ｓ２０６）。ステップＳ２０６において、購入ボタンが選択されていないと判定された場合には、サーバ装置２００は、処理を終了する。一方、ステップＳ２０６において、購入ボタンが選択されたと判定された場合には、サーバ装置２００は、情報処理端末１００の表示部にグッズ購入ページを表示させる（Ｓ２０８）。そして、サーバ装置２００は、ユーザ操作に応じて、グッズ購入処理を実行する（Ｓ２１０）。ステップＳ２１０におけるグッズ購入処理については、グッズ購入画面を例示して具体的に説明する。
【００９７】
次に、グッズ購入画面の具体例について説明する。図２１に示すように、情報処理端末１００にグッズの画像を含む表示画面５５０が表示される。表示画面５５０には、グッズを示す画像５５５１と、グッズを購入するための購入ボタン５５５２と、当該グッズを持っている他のユーザの情報欄５５５３などが表示される。
【００９８】
そして、ユーザ操作により、購入ボタン５５５２が選択されると、グッズ購入画面５５１が表示される。グッズ購入画面５５１には、グッズを買い物かごに入れるための買い物かごボタン５５１１が表示される。
【００９９】
そして、ユーザ操作により、グッズ購入画面５５１の買い物かごボタン５５１１が選択されると、買い物かご画面５５２が表示される。買い物かご画面５５２には、買い物かごに入っているグッズを示す画像５５２２と、当該グッズを購入するための購入ボタン５５２３が表示される。また、グッズを示す画像５５２２とともに、削除ボタンを表示させてもよい。ユーザ操作により、グッズを示す画像５５２２の削除ボタンが選択された場合には、削除されたグッズの一覧画面５５３が表示される。
【０１００】
また、ユーザ操作により、買い物かご画面５５２の購入ボタン５５２３が選択された場合には、購入完了画面５５４が表示される。また、購入完了画面５５４とともに、オンラインコミュニティへの接続ボタン５５４１が表示される。そして、ユーザ操作により、オンライコミュニティへの接続ボタン５５４１が選択されると、当該オンライコミュニティの画面５５６が表示される。例えば、Ｔｗｉｔｔｅｒの接続ボタン５５４１を選択した場合には、Ｔｗｉｔｔｅｒの表示画面５５６が表示される。
【０１０１】
図２１では、一つのグッズを購入する場合のグッズ購入画面について説明したが、図２２では、複数のグッズを購入する場合のグッズ購入画面について説明する。以下では、図２１と同様の画面についての詳細は省略し、図２１と異なる画面について特に詳細に説明する。図２２に示すように、情報処理端末１００にグッズの画像を含む表示画面５５０が表示され、グッズ購入画面５５１の買い物かごボタン５５１１が選択されて、買い物かご画面５５２が表示される。
【０１０２】
買い物かご画面５５２において、ユーザがチェックインしている駅（仙台駅）に関連する他のグッズを示す画像５５２３が表示される。ユーザ操作により、他のグッズが選択されると、さらに、他のグッズの購入画面５５７が表示される。他のグッズの購入画面５５７から一のグッズが選択されると、当該グッズの購入画面５５８が表示される。グッズの購入画面５５８には、当該グッズを示す画像と、当該グッズを購入するための購入ボタン５５８２が表示される。
【０１０３】
そして、当該グッズを購入するための購入ボタン５５８２が選択されると、買い物かご画面５５９が表示される。買い物かご画面５５９の買い物かご欄５５９１には、購入された複数のグッズを示す画像が表示される。そして、ユーザ操作により、買い物かご画面５５９の購入ボタン５５９２が選択されると、購入完了画面５６０が表示され、２つのグッズを示す画像５５６１が表示される。
【０１０４】
次に、グッズを他のユーザにプレゼントするグッズプレゼント購入画面について説明する。図２３に示すように、まず、情報処理端末１００にグッズの画像を含む表示画面５５０が表示される。そして、ユーザ操作により、表示画面５５０に含まれるプレゼントボタン５５５４が選択された場合に、グッズをプレゼント用に購入するためのグッズ購入画面５６０が表示される。
【０１０５】
そして、グッズ購入画面５６０の買い物かごボタン５６０２が選択されると、買い物かご画面５６２が表示される。買い物かご画面５６２において、ユーザ操作により、個数変更欄５６２１において、購入するグッズの個数が変更される。そして、ユーザ操作により、買い物かご画面５６２の購入ボタン５６２３が選択されると、購入完了画面５６３が表示される。オンラインコミュニティへの接続ボタン５６３１を選択することにより、他のユーザにプレゼント用に購入したグッズの情報が送信されてもよい。
【０１０６】
また、図２４に示すように、購入したグッズの一覧５７０を表示画面に表示させてもよい。また、グッズの一覧５７０には、複数のグッズの画像５７０１が表示される。また、ユーザ操作により、グッズの一覧５７０のグッズ棚選択ボタン５７０２が選択された場合に、購入されたグッズの画像一覧が表示されるグッズ棚画面５７１を表示させてもよい。
【０１０７】
また、ユーザ操作により、グッズの一覧５７０のアイテム毎のグッズ選択ボタン５７０３が選択された場合には、選択せれたアイテムのグッズのみを含むグッズ一覧画面５７２を表示させてもよい。アイテムは、例えば、人物や、建物や、景色や、娯楽、食べ物などから構成される。
【０１０８】
次に、購入するグッズが実際の商品である場合の、商品購入画面例について説明する。図２５に示すように、実際の商品の画像を含む商品画面５８０を情報処理端末１０に表示させる。そして、ユーザ操作により商品画面５８０に含まれる購入ボタンが選択されると、商品購入画面５８１が表示される。商品購入画面５８１には、商品を買い物かごに入れるための買い物かごボタン５８１１が表示される。
【０１０９】
そして、ユーザ操作により、商品購入画面５８１の買い物かごボタン５８１１が選択されると、商品の発送先を入力するための入力画面５８３が表示される。ユーザ操作により、入力画面５８３の各項目に住所等が入力され、確認ボタン５８３４が選択されると、商品発送先確認画面５８４が表示される。そして、ユーザ操作により、商品発送先確認画面５８４のお支払ボタン５８４１が選択されると、カード決済画面等が表示される。
【０１１０】
（６）本実施の形態の効果
本実施の形態によれば、情報処理端末１００において取得された位置情報がサーバ装置２００に送信されて、当該位置情報に関連付けられた駅等の複数のエリア情報が情報処理端末１００の表示部に表示される。そしてユーザ操作により、複数のエリアから一のエリアが選択されると、当該一のエリアにチェックインするためのチェックイン画面が情報処理端末１００の表示部に表示される。そして、ユーザ操作により、選択されたエリアにチェックインされると、当該エリアに関連付けられたグッズを示す画像を含む表示画面が情報処理端末１００に表示される。また、当該エリアに関連付けられたスタンプやバッジが付与されたり、チェックインの回数等に応じて所定のポイントが付与されたりする。
【０１１１】
そして、サーバ装置２００は、ユーザと、ユーザに付与されたスタンプ、バッジ、ポイント等の情報や、購入されたグッズとを関連付けて記憶し、付与されたスタンプやバッジ一覧や購入したグッズの一覧を情報処理端末１００の表示部に表示させる。また、情報処理端末１００のユーザは、購入したグッズや、付与されたスタンプやバッジなどを収集して、他のユーザとＴｗｉｔｔｅｒ等のオンラインコミュニティ上で交流することができる。このように、ユーザは、情報処理端末１００においてエリアに関連するコンテンツを収集することにより、コンテンツを介してユーザの興趣性をさらに高めることが可能となる。
【０１１２】
例えば、エリアが駅を示す場合、当該駅にチェックインすることにより、当該駅を象徴するコンテンツが配信される。駅を象徴するコンテンツとは、例えば、その駅や駅付近の名産物や観光地などを表すグッズのイラスト画像や、駅毎に設けられるスタンプを表すイラスト画像や、駅や駅名に因んだバッジを表すイラスト画像などである。
【０１１３】
ユーザが、情報処理端末１００上でこれらのコンテンツを収集することにより、店舗や施設等の情報をユーザに配信するだけでなく、ゲームの要素を付加することができる。例えば、ユーザ同士で収集したグッズを見せ合ったり、スタンプの数を競い合ったりすることにより、配信されたコンテンツを介してユーザに娯楽を提供することができる。
【０１１４】
（７）他の実施の形態
例えば、本明細書の情報処理端末１００およびサーバ装置２００の処理における各ステップは、必ずしもフローチャートとして記載された順序に沿って時系列に処理する必要はない。すなわち、情報処理端末１００およびサーバ装置２００の処理における各ステップは、異なる処理であっても並列的に実行されてもよい。
【０１１５】
また、情報処理端末１００およびサーバ装置２００などに内蔵されるＣＰＵ、ＲＯＭおよびＲＡＭなどのハードウェアを、上述した情報処理端末１００およびサーバ装置２００の各構成と同等の機能を発揮させるためのコンピュータプログラムも作成可能である。また、該コンピュータプログラムを記憶させた記憶媒体も提供される。
【符号の説明】
【０１１６】
１００    情報処理端末
１０２    取得部
１０４    送信部
１０６    受信部
１０８    表示制御部
１１０    検出部
２００    サーバ装置
２０２    受信部
２０４    判定部
２０５    付与部
２０６    送信部
２０８    生成部
２１０    選択部
２１２    記憶装置
３００    ネットワーク
【図１】
2012088766.tif 000003
【図２】
2012088766.tif 000004
【図３】
2012088766.tif 000005
【図４】
2012088766.tif 000006
【図５】
2012088766.tif 000007
【図６】
2012088766.tif 000008
【図７】
2012088766.tif 000009
【図８】
2012088766.tif 000010
【図９】
2012088766.tif 000011
【図１０】
2012088766.tif 000012
【図１１】
2012088766.tif 000013
【図１２】
2012088766.tif 000014
【図１３】
2012088766.tif 000015
【図１４】
2012088766.tif 000016
【図１５】
2012088766.tif 000017
【図１６】
2012088766.tif 000018
【図１７】
2012088766.tif 000019
【図１８】
2012088766.tif 000020
【図１９】
2012088766.tif 000021
【図２０】
2012088766.tif 000022
【図２１】
2012088766.tif 000023
【図２２】
2012088766.tif 000024
【図２３】
2012088766.tif 000025
【図２４】
2012088766.tif 000026
【図２５】
2012088766.tif 000027